(57)【特許請求の範囲】
【請求項１】
左右に隣接した方立間に無目をブラケットで連結して枠とし、この枠にパネル部材を装着した複数のカーテンウォール部を備え、前記方立と無目の平面方向連結角度が異なる複数の連結部を有するカーテンウォールにおいて、
前記各ブラケットは、方立に取付けられる一側片と無目に取付けられる他側片で平面形状略Ｌ字状で、
前記一側片に、その方立取付面と裏面に貫通した透孔が形成され、
前記他側片の無目取付面は平面形状凸円孤状に湾曲し、かつこの無目取付面と反対側の座金受け面は平面形状凹円孤状に湾曲し、
その他側片の無目取付面に、無目取付面と座金受け面に貫通したボルト挿通孔を穿孔するための複数の穿孔用目印が、その複数の穿孔用目印部分の各接線と前記一側片の方立取付面の延長線の角度がそれぞれ異なるように、湾曲方向に間隔を置いて形成され、
前記ブラケットの一側片に形成された透孔を挿通した方立連結用ボルトとナットで、一側片が方立に連結され、
前記ブラケットの他側片には、方立と無目の平面方向連結角度に応じた１つの穿孔用目印の位置にボルト挿通孔が形成され、そのボルト挿通孔を挿通した無目連結用ボルトと、前記座金受け面と同一曲率に湾曲した当接面を有する座金と、この無目連結用ボルトに螺合したナットで座金の当接面が他側片の座金受け面に接すると共に、他側片の無目取付面が無目に接して無目と方立が所定の平面方向連結角度で連結していることを特徴とするカーテンウォール。
【請求項２】
ブラケットの一側片の方立取付面に、その方立取付面と裏面に貫通した透孔を形成するための複数の穿孔用目印が面外方向に間隔を置いて形成され、その一側片に透孔を、方立と無目の平面方向連結角度に応じた１つの穿孔用目印の位置に形成し、その透孔を挿通した方立連結用ボルトとナットで一側片を、前述の方立と無目の平面方向連結角度に応じた方立の面外方向の位置に取付けた請求項１記載のカーテンウォール。
【発明の詳細な説明】
【０００１】
【発明の属する技術分野】
本発明は、建物の外壁を形成する方立式のカーテンウォールに関する。
【０００２】
【従来の技術】
方立式のカーテンウォールとしては、左右に隣接した方立間に無目を連結して枠を形成し、この枠にパネル部材を取付けたものが知られている。
【０００３】
前述のカーテンウォールは、左右に隣接したパネル部材が一直線状（つまり１８０度）に連続しているのが一般的であり、このカーテンウォールの外観は一平面状となる。
他方、左右に隣接したパネル部材を１８０度とは異なる角度で連続して多面状の外観であるカーテンウォールが提案されている。
【０００４】
【発明が解決しようとする課題】
方立と無目を連結するブラケットとしては、方立に連結される一側片と無目に連結される他側片で平面形状が鉤形のブラケットが知られている。
前者の外観が一平面状のカーテンウォールの場合には、一側片と他側片の平面方向角度が９０度のブラケットを用いて方立と無目の平面方向連結角度を左右の無目が成す角度が１８０度となるように連結する。
後者の外観が多面状のカーテンウォールの場合には、一側片と他側片の平面方向角度が９０度ではないブラケットを用いて方立と無目の平面方向連結角度を左右の無目が成す角度が１８０度ではないように連結する。
【０００５】
このようであるから、左右の無目の成す角度、つまり方立と無目の平面方向連結角度が異なる複数の連結部を有するカーテンウォールの場合には、一側片と他側片の平面方向角度が異なる複数の種類のブラケットを必要とする。
【０００６】
そこで、本発明は前述の課題を解決できるようにしたカーテンウォールを提供することを目的とする。
【０００７】
【課題を解決するための手段】
第１の発明は、左右に隣接した方立間に無目をブラケットで連結して枠とし、この枠にパネル部材を装着した複数のカーテンウォール部を備え、前記方立と無目の平面方向連結角度が異なる複数の連結部を有するカーテンウォールにおいて、
前記各ブラケットは、方立に取付けられる一側片と無目に取付けられる他側片で平面形状略Ｌ字状で、
前記一側片に、その方立取付面と裏面に貫通した透孔が形成され、
前記他側片の無目取付面は平面形状凸円孤状に湾曲し、かつこの無目取付面と反対側の座金受け面は平面形状凹円孤状に湾曲し、
その他側片の無目取付面に、無目取付面と座金受け面に貫通したボルト挿通孔を穿孔するための複数の穿孔用目印が、その複数の穿孔用目印部分の各接線と前記一側片の方立取付面の延長線の角度がそれぞれ異なるように、湾曲方向に間隔を置いて形成され、
前記ブラケットの一側片に形成された透孔を挿通した方立連結用ボルトとナットで、一側片が方立に連結され、
前記ブラケットの他側片には、方立と無目の平面方向連結角度に応じた１つの穿孔用目印の位置にボルト挿通孔が形成され、そのボルト挿通孔を挿通した無目連結用ボルトと、前記座金受け面と同一曲率に湾曲した当接面を有する座金と、この無目連結用ボルトに螺合したナットで座金の当接面が他側片の座金受け面に接すると共に、他側片の無目取付面が無目に接して無目と方立が所定の平面方向連結角度で連結していることを特徴とするカーテンウォールである。
【０００８】
第２の発明は、第１の発明においてブラケットの一側片の方立取付面に、その方立取付面と裏面に貫通した透孔を形成するための複数の穿孔用目印が面外方向に間隔を置いて形成され、その一側片に透孔を、方立と無目の平面方向連結角度に応じた１つの穿孔用目印の位置に形成し、その透孔を挿通した方立連結用ボルトとナットで一側片を、前述の方立と無目の平面方向連結角度に応じた方立の面外方向の位置に取付けたカーテンウォールである。
【０００９】
【作  用】
第１の発明によれば、方立と無目を、平面方向連結角度が異なるように１種類のブラケットで連結できるので、方立と無目の平面方向連結角度が異なる複数の連結部を有するカーテンウォールを１種類のブラケットで組立てできる。
また、ブラケットの他側片の無目取付面は平面形状凸円弧状、座金受け面は平面形状凹円孤状にそれぞれ湾曲しており、方立と無目の平面方向連結角度に応じた湾曲方向に沿って異なる１つの位置に穿孔用目印を目安としてボルト挿通孔をあらかじめ形成し、そのボルト挿通孔を挿通した無目連結用ボルトと座金とナットで、他側片を無目に固着して方立と無目を所定の平面方向連結角度に連結してあるので、施工時に角度調整せずにボルト挿通孔に無目連結用ボルトを挿通するだけで良く、しかもボルト締付け時にボルトとブラケットが相対的に動くこともない。これらが相俟って方立と無目を容易に連結できる。
また、ブラケットが同一形状であるから室内側から見た外観（意匠）が同一で、見栄えが良い。
また、ブラケットの他側片の座金受け面は平面形状凹円弧状に湾曲し、座金の当接面は平面形状凸円弧状に湾曲しているので、方立と無目の平面方向連結角度に関係なく他側片と座金が常に広い面積で接する。
これによって、方立と無目を強固に連結できるし、ナットを締付けた時に他側片に対して無目が平面方向に動くことがなく、方立と無目を所定の角度で正確に連結できる。
【００１０】
第２の発明によれば、ブラケットの一側片に透孔を、方立と無目の平面方向連結角度に応じた面外方向位置に穿孔用目印を目安として形成し、この透孔を挿通したボルトとナットで一側片を方立に連結することで、方立に対して無目の面外方向位置が同一となるようにしてあるので、方立と平面方向連結角度が異なる無目の方立に対する面外方向位置が同一となる。
【００１２】
【発明の実施の形態】
図１に示すように、建物Ａは円錐形状のカーテンウォール１と一平面状のカーテンウォール２を備えている。
前記円錐形状のカーテンウォール２は下カーテンウォール部３と上カーテンウォール部４と最上部カバー材５より成る。下カーテンウォール部３は下部方立６を平面略円形軌跡に沿って等間隔で上端部が円形軌跡の中心（円錐形状の頂点Ｂ）に向うように前後・左右に斜めとして配設し、隣接する下部方立６間に下部無目７を上下方向に間隔を置いて連結して複数の下部枠８を形成し、その各下部枠８に下部パネル部材９がそれぞれ装着してある。
【００１３】
前記上カーテンウォール部４は、１つ置きの下部方立６と連続して上部方立１０を円錐形状の頂点Ｂに向けて前後・左右に斜めとしてそれぞれ配設し、その隣接する上部方立１０間に上部無目１１を上下方向に間隔を置いて連結して複数の上部枠１２を形成し、その各上部枠１２に上部パネル部材１３がそれぞれ装着してある。
【００１４】
前記最上部カバー材５は円錐形状で、各上部方立１０の上端部に亘って取付けてある。
【００１５】
このように、上カーテンウォール部４の上部方立１０の本数は下カーテンウォール部３の下部方立６の本数の半分であり、下部カーテンウォール部３の下部方立６の間隔を広くすることなしに上部カーテンウォール部４の上部方立１０の間隔を広くできる。
【００１６】
これによって、上カーテンウォール部４の上部枠１２の左右間隔が広く、見栄えが良いし、その上部枠４に上部パネル部材１３を容易に装着できる。下カーテンウォール部３の下部枠８の左右間隔が必要以上に広くなることがないので、下部パネル部材９の取付強度が低下しない。
【００１７】
つまり、カーテンウォールは円錐形状であるから頂部寄りの平面大きさが小さく、底部寄りの平面大きさが大きい。このために底部から頂部まで方立を連続して配設すると方立間隔が下から上に行くに従い順次狭くなるので、頂部寄りにおける方立間隔が小さくなり、見栄えが悪いし、パネル部材の装着が面倒となる。
【００１８】
このことを解消するために方立の本数を減らして頂部寄りの方立間隔を広くすると、底部寄りの方立間隔が必要以上に広くなり、パネル部材の取付強度が低下してしまう。
【００１９】
前記一面状のカーテンウォール２は左右に隣接した方立１４間に無目１５を連結して枠１６を形成し、その枠１６にパネル部材１７が装着してある。
【００２０】
前記下カーテンウォール部３の左右の下部無目７が成す角度θ−１は図２に示すように１８０度よりも大きい。上カーテンウォール部４の左右の上部無目１１が成す角度θ−２は図３に示すように１８０度よりも大きいし、前述の左右の下部無目７が成す角度θ−１よりも大きい。一面状のカーテンウォール２の左右の無目１５が成す角度θ−３は図４に示すように１８０度となる。
【００２１】
このようであるから、下部方立６と下部無目７の平面方向連結角度、上部方立１０と上部無目１１の平面方向連結角度、方立１４と無目１５の平面方向連結角度がそれぞれ異なる。これらは図５に示すブラケット２０で連結される。
【００２２】
前記ブラケット２０は図５に示すように、一側片２１と他側片２２で平面形状略Ｌ字状で、一側片２１の方立取付面となる表面２１ａと裏面２１ｂは相互に平行である。この一側片２１の表面２１ａには表裏面に貫通した透孔２３を形成するための穿孔用目印、例えば第１・第２・第３凹溝４０，４１，４２が形成してある。
前記他側片２２の無目取付面となる表面２２ａは平面形状凸円弧状に湾曲し、座金受け面となる裏面２２ｂは平面形状凹円弧状に湾曲している。表面２２ａには複数の穿孔用目印、例えば第１・第２・第３凹溝２４，２５，２６を湾曲方向に間隔を置いて有する。一側片２１の表面２１ａの延長線ａと第１凹溝２４部分の接線ｂの角度が最も小さく（９０度）、延長線ａと第２凹溝２５部分の接線ｃの角度が中間の大きさで、延長線ａと第３凹溝２６部分の接線ｄの角度が最も大きい。
【００２３】
前記ブラケット２０はアルミ押出形材を所定長さに切断したものである。
【００２４】
前記一側片２１の透孔２３は方立連結用ボルト２７が挿通する。
前記他側片２２には１つの凹溝を基準としてボルト挿通孔２８が表裏面に貫通して形成される。このボルト挿通孔２８に無目連結用ボルト２９が挿通し、座金３０を介してナット３１がねじ合される。
座金２０の他側片２２に当接する当接面３０ａは平面形状凸円弧状で、かつ他側片２２の裏面２２ｂと同一曲率に湾曲している。座金３０のボルト締付面３０ｂは平坦面である。
【００２５】
前記下部方立６と下部無目７は図６に示すように連結される。
前記ブラケット２０の他側片２２に第２凹溝２５を基準としてボルト挿通孔２８を形成し、下部無目７の凹状溝７ａに無目連結用ボルト２９の頭部を挿入して係止する。この無目連結用ボルト２９をボルト挿通孔２８に挿通し、座金３０を挿入すると共に、ナット３１をねじ合して他側片２２と下部無目６を連結する。
【００２６】
ブラケット２０の一側片２１は下部方立６の左右両側面に方立連結用ボルト２７で連結する。なお、左右のブラケット２０の一側片２１がボルトで同時に連結する。
【００２７】
前記上部方立１０と上部無目１１は図７に示すように連結してある。
前記ブラケット２０の他側片２２に第３凹溝２６を基準としてボルト挿通孔２８を形成し、上部無目１１の凹状溝１１ａに無目連結用ボルト２９の頭部を挿入して係止する。この無目連結用ボルト２９をボルト挿通孔２８に挿通し、座金３０を挿入すると共に、ナット３１をねじ合して他側片２２と上部無目１１を連結してある。
【００２８】
ブラケット２０の一側片２１は上部方立１０の左右両側面に方立連結用ボルト２７で連結する。なお、左右のブラケット２０の一側片２１がボルトで同時に連結してある。
【００２９】
前記方立１４と無目１５は図８に示すように連結してある。
前記ブラケット２０の他側片２２に第１凹溝２４を基準としてボルト挿通孔２８を形成し、無目１５の凹状溝１５ａに無目連結用ボルト２９の頭部を挿入して係止する。この無目連結用ボルト２９をボルト挿通孔２８に挿通し、座金３０を挿入すると共に、ナット３１をねじ合して他側片２２と無目１５を連結してある。
【００３０】
ブラケット２０の一側片２１は方立１４の左右両側面に方立連結用ボルト２７で連結する。なお、左右のブラケット２０の一側片２１がボルトで同時に連結してある。
【００３１】
図６、図７、図８において方立１に対する無目の面外方向位置を同一とするためにブラケット２０を方立１に面外方向に位置をずらして連結してある。
つまり、図８に示す場合がブラケット２０が最も室外寄りであり、前述の第１凹溝４０を基準として透孔２３を形成し、この透孔２３に方立連結用ボルト２７を挿通して連結してある。
図７に示す場合がブラケット２０が最も室内寄りであり、前述の第３凹溝４２を基準として透孔２３を形成し、この透孔２３に方立連結用ボルト２７を挿通して連結してある。
図６に示す場合がブラケット２０が中間位置であり、前述の第２凹溝４１を基準として透孔２３を形成し、この透孔２３に方立連結用ボルト２７を挿通して連結してある。
【００３２】
なお、円錐形状のカーテンウォールのみならず平面方向に多角形状となったカーテンウォールの場合でもブラケット２０を用いて方立と無目を平面方向連結角度を異ならせて連結できる。
【００３３】
【発明の効果】
請求項１に係る発明によれば、方立と無目を、平面方向連結角度が異なるように１種類のブラケットで連結できるので、方立と無目の平面方向連結角度が異なる複数の連結部を有するカーテンウォールを１種類のブラケットで組立てできる。
また、ブラケットの他側片の無目取付面は平面形状凸円弧状、座金受け面は平面形状凹円孤状にそれぞれ湾曲しており、方立と無目の平面方向連結角度に応じた湾曲方向に沿って異なる１つの位置に穿孔用目印を目安としてボルト挿通孔をあらかじめ形成し、そのボルト挿通孔を挿通した無目連結用ボルトと座金とナットで、他側片を無目に固着して方立と無目を所定の平面方向連結角度に連結してあるので、施工時に角度調整せずにボルト挿通孔に無目連結用ボルトを挿通するだけで良く、しかもボルト締付け時にボルトとブラケットが相対的に動くこともない。これらが相俟って方立と無目を容易に連結できる。
また、ブラケットが同一形状であるから室内側から見た外観（意匠）が同一で、見栄えが良い。
また、ブラケットの他側片の座金受け面は平面形状凹円弧状に湾曲し、座金の当接面は平面形状凸円弧状に湾曲しているので、方立と無目の平面方向連結角度に関係なく他側片と座金が常に広い面積で接する。
これによって、方立と無目を強固に連結できるし、ナットを締付けた時に他側片に対して無目が平面方向に動くことがなく、方立と無目を所定の角度で正確に連結できる。
【００３４】
請求項２に係る発明によれば、ブラケットの一側片に透孔を、方立と無目の平面方向連結角度に応じた面外方向位置に穿孔用目印を目安として形成し、この透孔を挿通したボルトとナットで一側片を方立に連結することで、方立に対して無目の面外方向位置が同一となるようにしてあるので、方立と平面方向連結角度が異なる無目の方立に対する面外方向位置が同一となる。
【図面の簡単な説明】
【図１】建物の外観図である。
【図２】下カーテンウォール部の方立と無目の平面方向連結角度の説明図である。
【図３】上カーテンウォール部の方立と無目の平面方向連結角度の説明図である。
【図４】一平面状のカーテンウォールの方立と無目の平面方向連結角度の説明図である。
【図５】ブラケットの斜視図である。
【図６】下部方立と下部無目の連結部の詳細横断面図である。
【図７】上部方立と上部無目の連結部の詳細横断面図である。
【図８】方立と無目の連結部の詳細横断面図である。
【符号の説明】
１…円錐形状のカーテンウォール
２…一平面状のカーテンウォール
３…下カーテンウォール部
４…上カーテンウォール部
６…下部方立（方立）
７…下部無目（無目）
８…下部枠（枠）
９…下部パネル部材（パネル部材）
１０…上部方立（方立）
１１…上部無目（無目）
１２…上部枠（枠）
１３…上部パネル部材（パネル部材）
１４…方立
１５…無目
１６…枠
１７…パネル部材
２０…ブラケット
２１…一側片
２２…他側片
２２ａ…表面（無目取付面）
２２ｂ…裏面（座金受け面）
２８…ボルト挿通孔
２９…無目連結用ボルト
３０…座金
３０ａ…当接面
３１…ナット
【図１】
0003584366.tif 000002
【図２】
0003584366.tif 000003
【図３】
0003584366.tif 000004
【図４】
0003584366.tif 000005
【図５】
0003584366.tif 000006
【図６】
0003584366.tif 000007
【図７】
0003584366.tif 000008
【図８】
0003584366.tif 000009